(57)【要約】【課題】低解像度の映像ファイルを適切なサイズでディスプレイ装置に表示することができる映像出力装置を提供する。【解決手段】システム制御部１６は、ディスプレイ装置２で処理可能な解像度の種類を示す解像度情報、およびディスプレイ装置２の物理的な画面サイズを示す画面サイズ情報を取得し、入力される映像ファイルの解像度、ディスプレイ装置２から取得した解像度情報および画面サイズ情報に基づいて、映像出力装置１から出力する映像ファイルの解像度、およびグラフィック生成部１１で生成する背景画面のグラフィックスデータの解像度を決定する。【選択図】図１
2009224887.tif 000002
【特許請求の範囲】
【請求項１】
外部から入力される映像ファイルの解像度を変換する解像度変換手段と、
前記映像ファイルの背景に表示させるグラフィックス画面である背景画面を生成するグラフィック生成手段と、
本装置に接続されたディスプレイ装置で処理可能な解像度の種類を示す解像度情報、および前記ディスプレイ装置の物理的な画面サイズを示す画面サイズ情報を前記ディスプレイ装置から取得する情報取得手段と、
前記映像ファイルの解像度、前記情報取得手段で取得した前記解像度情報および前記画面サイズ情報に基づいて、本装置から出力する前記映像ファイルの解像度である映像出力解像度、および前記グラフィック生成手段で生成する前記背景画面の解像度である背景画面解像度を決定する解像度決定手段と、
前記解像度変換手段に前記映像ファイルの解像度を前記映像出力解像度に変換させ、前記グラフィック生成手段に前記背景画面解像度で前記背景画面を生成させる制御手段と、
前記解像度変換手段で解像度変換された前記映像ファイルと、前記グラフィック生成手段で生成された前記背景画面とを合成して合成映像データを生成する合成手段と、
前記合成映像データを前記ディスプレイ装置に出力する出力手段と
を備えることを特徴とする映像出力装置。
【請求項２】
外部から入力される第１の映像ファイルの解像度を変換する第１の解像度変換手段と、
外部から入力される、前記第１の映像ファイルの背景に表示させるための第２の映像ファイルの解像度を変換する第２の解像度変換手段と、
本装置に接続されたディスプレイ装置で処理可能な解像度の種類を示す解像度情報、および前記ディスプレイ装置の物理的な画面サイズを示す画面サイズ情報を前記ディスプレイ装置から取得する情報取得手段と、
前記第１の映像ファイルの解像度、前記情報取得手段で取得した前記解像度情報および前記画面サイズ情報に基づいて、本装置から出力する前記第１の映像ファイルの解像度である映像出力解像度、および前記第２の解像度変換手段で変換される前記第２の映像ファイルの解像度である、少なくとも前記映像出力解像度よりも高い解像度の背景画面解像度を決定する解像度決定手段と、
前記第１の解像度変換手段に前記第１の映像ファイルの解像度を前記映像出力解像度に変換させ、前記第２の解像度変換手段に前記第２の映像ファイルの解像度を前記背景画面解像度に変換させる制御手段と、
前記第１の解像度変換手段で解像度変換された前記第１の映像ファイルと、前記第２の解像度変換手段で解像度変換された前記第２の映像ファイルとを合成して合成映像データを生成する合成手段と、
前記合成映像データを前記ディスプレイ装置に出力する出力手段と
を備えることを特徴とする映像出力装置。
【発明の詳細な説明】
【技術分野】
【０００１】
本発明は、映像出力装置に関する。
【背景技術】
【０００２】
近年、液晶テレビ、プラズマテレビ、リアプロジェクション型テレビ等、ＡＶ（Audio Visual）機器におけるディスプレイ装置の大画面化が進み、地上デジタル放送のエリア拡大もあいまって、その普及が進んできている。
【０００３】
また、ＤＶＤ（Digital Versatile Disc）プレーヤやＤＶＤレコーダ等の映像出力装置についても、上記の大画面のディスプレイ装置に対応して、ハイビジョンレコーダに代表されるような高精細、高画質対応の装置が普及してきている。
【０００４】
このような映像出力装置には、接続されるディスプレイ装置における解像度、アスペクト比、画質等の表示条件が設定され、これによりディスプレイ装置には適切に映像が表示される。例えば、特許文献１には、ディスプレイ装置の表示条件を示す情報である条件情報を予め取得して記憶することにより、ディスプレイ装置に接続する度に、ディスプレイ装置に映像を出力する際の表示条件の設定を的確に行うことができる映像出力装置が開示されている。
【特許文献１】特開２００５−１０９７０３号公報
【発明の開示】
【発明が解決しようとする課題】
【０００５】
ところで、ユーザが視聴するコンテンツには、テレビ放送を録画した番組やパッケージメディアなどの比較的高画質の映像コンテンツのみならず、ワンセグ放送などを記録可能な映像記録装置により記録した映像ファイルや、インターネットなどからダウンロードした映像ファイルなどのように、大画面で視聴することを想定していない、高画質とは言い難い映像ファイルもある。近年、このような映像ファイルを大画面のディスプレイ装置で再生し、映像を視聴する機会が増加している。
【０００６】
上記のような大画面で視聴することを想定していない低解像度の映像ファイルを、大画面のディスプレイ装置で再生して画面表示を行うと、表示画面の大きさに合わせてスケーリング（拡大）され、この際、ブロックノイズなどのノイズも大きくなってしまう。この結果、ユーザにとって見にくい映像となり、ユーザに不快感を与えていた。
【０００７】
上述の特許文献１の技術は、ディスプレイ装置における表示条件に基づく映像出力設定を行うものであり、映像コンテンツの条件については考慮していない。したがって、大画面で視聴することを想定していない低解像度の映像ファイルを再生すると、上記と同様に、表示画面の大きさに合わせてスケーリングされ、ノイズを含む映像が必要以上に大きく表示されてしまう。
【０００８】
本発明は上記に鑑みてなされたもので、低解像度の映像ファイルを適切なサイズでディスプレイ装置に表示することができる映像出力装置を提供することを目的とする。
【課題を解決するための手段】
【０００９】
上記目的を達成するため、本発明の映像出力装置は、外部から入力される映像ファイルの解像度を変換する解像度変換手段と、前記映像ファイルの背景に表示させるグラフィックス画面である背景画面を生成するグラフィック生成手段と、本装置に接続されたディスプレイ装置で処理可能な解像度の種類を示す解像度情報、および前記ディスプレイ装置の物理的な画面サイズを示す画面サイズ情報を前記ディスプレイ装置から取得する情報取得手段と、前記映像ファイルの解像度、前記情報取得手段で取得した前記解像度情報および前記画面サイズ情報に基づいて、本装置から出力する前記映像ファイルの解像度である映像出力解像度、および前記グラフィック生成手段で生成する前記背景画面の解像度である背景画面解像度を決定する解像度決定手段と、前記解像度変換手段に前記映像ファイルの解像度を前記映像出力解像度に変換させ、前記グラフィック生成手段に前記背景画面解像度で前記背景画面を生成させる制御手段と、前記解像度変換手段で解像度変換された前記映像ファイルと、前記グラフィック生成手段で生成された前記背景画面とを合成して合成映像データを生成する合成手段と、前記合成映像データを前記ディスプレイ装置に出力する出力手段とを備えることを特徴とする。
【００１０】
また、本発明の映像出力装置は、外部から入力される第１の映像ファイルの解像度を変換する第１の解像度変換手段と、外部から入力される、前記第１の映像ファイルの背景に表示させるための第２の映像ファイルの解像度を変換する第２の解像度変換手段と、本装置に接続されたディスプレイ装置で処理可能な解像度の種類を示す解像度情報、および前記ディスプレイ装置の物理的な画面サイズを示す画面サイズ情報を前記ディスプレイ装置から取得する情報取得手段と、前記第１の映像ファイルの解像度、前記情報取得手段で取得した前記解像度情報および前記画面サイズ情報に基づいて、本装置から出力する前記第１の映像ファイルの解像度である映像出力解像度、および前記第２の解像度変換手段で変換される前記第２の映像ファイルの解像度である、少なくとも前記映像出力解像度よりも高い解像度の背景画面解像度を決定する解像度決定手段と、前記第１の解像度変換手段に前記第１の映像ファイルの解像度を前記映像出力解像度に変換させ、前記第２の解像度変換手段に前記第２の映像ファイルの解像度を前記背景画面解像度に変換させる制御手段と、前記第１の解像度変換手段で解像度変換された前記第１の映像ファイルと、前記第２の解像度変換手段で解像度変換された前記第２の映像ファイルとを合成して合成映像データを生成する合成手段と、前記合成映像データを前記ディスプレイ装置に出力する出力手段とを備えることを特徴とする。
【発明の効果】
【００１１】
本発明の映像出力装置によれば、低解像度の映像ファイルを適切なサイズでディスプレイ装置に表示することができる。
【発明を実施するための最良の形態】
【００１２】
以下、本発明を実施するための最良の形態について、図面を参照して説明する。
【００１３】
図１は、本発明の実施の形態に係る映像出力装置およびそれに接続されるディスプレイ装置の構成を示すブロック図である。図１に示す映像出力装置１は、ＨＤＭＩ（High Definition Multimedia Interface）規格に準拠したいわゆるＨＤＭＩ出力機器であり、例えば、主にＤＶＤを再生する再生装置等に搭載される装置である。なお、図１には、映像処理に関連する構成のみを示している。
【００１４】
図１に示すように本実施の形態に係る映像出力装置１は、グラフィック生成部１１と、解像度変換部１２と、映像合成部１３と、ＨＤＭＩ変換部１４と、コネクタ部１５と、システム制御部１６と、メモリ１７とを備える。
【００１５】
グラフィック生成部１１は、背景画面として使用される画面のグラフィックスデータを生成し、この生成したグラフィックスデータを映像合成部１３に出力する。
【００１６】
解像度変換部１２は、外部から入力される映像ファイルの解像度を、システム制御部１６からの制御指令により変換し、解像度が変換された映像ファイルを映像合成部１３に出力する。
【００１７】
映像合成部１３は、グラフィック生成部１１で生成された背景画面のグラフィックスデータと、解像度変換部１２で解像度が変換された映像ファイルとを合成して合成映像データを生成し、これをＨＤＭＩ変換部１４に出力する。
【００１８】
ＨＤＭＩ変換部１４は、システム制御部１６からの制御指令により、映像合成部１３で生成された合成映像データをＨＤＭＩ規格のデータに変換し、ＨＤＭＩ規格に対応した合成映像データをコネクタ部１５に出力する。
【００１９】
コネクタ部１５は、ディスプレイ装置２に接続されたＨＤＭＩケーブル３を物理的に接合するためのものである。ＨＤＭＩ変換部１４から出力されたＨＤＭＩ規格の合成映像データは、コネクタ部１５を介してディスプレイ装置２に出力される。
【００２０】
システム制御部１６は、マイクロコンピュータ等からなり、映像出力装置１に設けられた各部を統括的に制御する。
【００２１】
メモリ１７は、映像出力装置１で処理可能な解像度の種類を示す情報を含む出力能力情報を予め記憶している。
【００２２】
映像出力装置１に接続されるディスプレイ装置２としては、例えばＨＤＭＩ規格に準拠したいわゆるＨＤＭＩシンク機器が用いられる。図１に示すようにディスプレイ装置２は、ＨＤＭＩ制御部２１と、メモリ２２とを備える。
【００２３】
ＨＤＭＩ制御部２１は、例えばＨＤＣＰ（High-bandwidth Digital Content Protection）のための処理を行う。
【００２４】
メモリ２２は、ＥＤＩＤ（Extended-Display Identification Data）情報を格納している。このＥＤＩＤ情報には、ディスプレイ装置２で処理可能な解像度の種類を示す解像度情報、ディスプレイ装置２における物理的な画面サイズを示す画面サイズ情報等が含まれている。
【００２５】
次に、映像出力装置１の動作について、図２に示すフローチャートを参照して説明する。
【００２６】
まず、ステップＳ１０において、システム制御部１６は、コネクタ部１５にＨＤＭＩケーブル３を介してディスプレイ装置２が接続されているか否かを判断する。ディスプレイ装置２が接続されている場合（ステップＳ１０：ＹＥＳ）、ステップＳ２０において、システム制御部１６は、ディスプレイ装置２のメモリ２２からＥＤＩＤ情報を取得する。ディスプレイ装置２が接続されていない場合（ステップＳ１０：ＮＯ）、ステップＳ１０の処理を繰り返す。
【００２７】
次いで、ステップＳ３０において、システム制御部１６は、メモリ１７から出力能力情報を読み出し、この出力能力情報と、ＥＤＩＤ情報に含まれる解像度情報とを照合して、映像出力装置１の出力に最適な解像度を決定する。例えば、映像出力装置１がディスプレイ装置２の最大解像度で処理可能な場合、このディスプレイ装置２の最大解像度を、出力に最適な解像度として決定する。
【００２８】
次いで、ステップＳ４０において、システム制御部１６は、外部から入力される映像ファイルの解像度と、ＥＤＩＤ情報に含まれる解像度情報と、画面サイズ情報とに基づいて、映像出力装置１から出力する映像ファイルの解像度（映像出力解像度）、および背景画面のグラフィックスデータの解像度（背景画面解像度）をそれぞれ決定する。ここで、背景画面解像度としては、例えばステップＳ３０で決定した出力に最適な解像度を採用することができる。
【００２９】
なお、入力される映像ファイルの解像度は、解像度変換部１２で算出してもよいし、外部から取得してもよい。
【００３０】
一例として、入力される映像ファイルが３５２×２４０画素の低解像度の映像ファイルであり、ディスプレイ装置２の画面サイズが５２インチで最大解像度が１９２０×１０８０画素であるような場合、映像ファイルの解像度（映像出力解像度）を３５２×２４０画素のままとし、背景画面のグラフィックスデータの解像度（背景画面解像度）を１９２０×１０８０画素に決定する。
【００３１】
次いで、ステップＳ５０において、システム制御部１６は、決定した映像出力解像度で映像ファイルの解像度を変換するように解像度変換部１２に制御信号を送信するとともに、決定した背景画面解像度で背景画面のグラフィックスデータを生成するようにグラフィック生成部１１に制御信号を送信する。
【００３２】
次いで、ステップＳ６０において、システム制御部１６は、映像ファイルを再生する指示が外部から入力されたか否かを判断する。映像ファイルを再生する指示が入力された場合（ステップＳ６０：ＹＥＳ）、ステップＳ７０に進み、映像ファイルを再生する指示が入力されない場合（ステップＳ６０：ＮＯ）、そのまま一連の処理を終了する。
【００３３】
ステップＳ７０では、システム制御部１６は、解像度変換部１２で解像度変換された映像ファイルを、グラフィック生成部１１で生成された背景画面のグラフィックスデータの所定の位置にはりつけ、合成映像データを生成するように映像合成部１３に制御信号を送信する。
【００３４】
次いで、ステップＳ８０において、システム制御部１６は、映像合成部１３で生成された合成映像データをＨＤＭＩ規格のデータに変換するようにＨＤＭＩ変換部１４に制御信号を送信する。
【００３５】
次いで、ステップＳ９０において、システム制御部１６は、ＨＤＭＩ規格に対応した合成映像データを、コネクタ部１５を介してディスプレイ装置２に出力するようにＨＤＭＩ変換部１４に制御信号を送信する。そして、ディスプレイ装置２において、映像出力装置１からの合成映像データに基づいて、映像ファイルとその背景画面が表示画面に表示される。
【００３６】
本実施の形態において表示される画面の一例を図３に示す。ディスプレイ装置２が５２インチの大画面で１９２０×１０８０画素の高解像度出力能力を有する場合、３５２×２４０画素の低解像度の映像ファイルの再生画面は小さいほうが良好な視聴をもたらすため、図３に示すように、映像ファイルを同じ解像度のまま、スケーリング（拡大）せずに表示する。図４に示す従来の表示画面例のように無条件に映像ファイルの再生画面が画面全体に拡大されることはない。
【００３７】
一方、ディスプレイ装置２の画面サイズが大画面でないとき、例えば、図５に示すように、ディスプレイ装置２の画面サイズが２４インチで１９２０×１０８０画素の高解像度出力能力を有する場合、３５２×２４０画素の低解像度の映像ファイルをそのままの解像度で出力すると、映像ファイルの再生画面が小さすぎて見にくくなる。
【００３８】
そこで、この場合は、解像度変換部１２において、映像ファイルの解像度を、例えば７２０×４８０画素に変換することで、図６に示すように、約２倍にアップスケールする。これにより、良好な視聴をもたらすことができる。
【００３９】
上記説明のように本実施の形態によれば、再生対象の映像ファイルの解像度とディスプレイ装置２の物理的な画面サイズとに応じて、映像ファイルの再生画面を適切なサイズで表示することができ、低解像度の映像ファイルを再生する場合でも、ユーザにとって見易い映像を提供することができる。
【００４０】
なお、上記説明では、映像ファイルの解像度とディスプレイ装置２の解像度情報と画面サイズ情報とを用いて、映像出力装置１で変換する映像ファイルの解像度と背景画面のグラフィックスデータの解像度とを決定したが、ディスプレイ装置２側のスケーラでスケーリングされることを考慮して、映像ファイルの解像度および背景画面のグラフィックスデータの解像度を決定してもよい。
【００４１】
また、上記説明ではＨＤＭＩ接続について説明したが、他の接続手段（例えばＤＬＮＡなどのＬＡＮ接続、Ｉ−ＬＩＮＫなどのＩＥＥＥ１３９４接続、その他の有線または無線の接続手段）でも、ディスプレイ装置の処理可能な解像度情報やディスプレイ装置の物理的な画面サイズの情報を取得できる接続手段であればよく、ＨＤＭＩ接続に限定されるものではない。
【００４２】
また、再生対象の映像ファイルの情報として本実施の形態では解像度を利用したが、これに限定されず、ブロックノイズ量やビデオＳＮ比など画質を定量的に表せるようなものを利用してもよい。
【００４３】
また、背景画面は、グレーバックのような単一の画面でもよいし、各種の設定や編集を行わせるための画面でもよい。
【００４４】
さらには、グラフィックス画面ではなく、別途入力される放送番組など、他の映像ファイル（第２の映像ファイル）を背景画面としてもよい。この場合、他の映像ファイルは、表示対象の映像ファイル（第１の映像ファイル）よりも高い解像度に変換し、この変換された他の映像ファイルと、表示対象の映像ファイルとを合成する。
【００４５】
また、上記映像出力装置の機能をプログラムによりコンピュータに実現させるようにしてもよい。このプログラムは、記録媒体から読みとられてコンピュータに取り込まれてもよいし、通信ネットワーク等を介して伝送されてコンピュータに取り込まれてもよい。
【図面の簡単な説明】
【００４６】
【図１】本発明の実施の形態に係る映像出力装置およびそれに接続されるディスプレイ装置の構成を示すブロック図である。
【図２】図１に示す映像出力装置の動作を示すフローチャートである。
【図３】本実施の形態において表示される画面の一例を示す図である。
【図４】従来の表示画面の一例を示す図である。
【図５】本実施の形態において表示される画面の他の例を示す図である。
【図６】本実施の形態において表示される画面のさらに他の例を示す図である。
【符号の説明】
【００４７】
１  映像出力装置
２  ディスプレイ装置
３  ＨＤＭＩケーブル
１１  グラフィック生成部
１２  解像度変換部
１３  映像合成部
１４  ＨＤＭＩ変換部
１５  コネクタ部
１６  システム制御部
１７  メモリ
２１  ＨＤＭＩ制御部
２２  メモリ
【図１】
2009224887.tif 000003
【図２】
2009224887.tif 000004
【図３】
2009224887.tif 000005
【図４】
2009224887.tif 000006
【図５】
2009224887.tif 000007
【図６】
2009224887.tif 000008